(57)【要約】【課題】掃除機本体を充電器にセットする収納状態にするだけで、伸縮ハンドルの長さを自動で縮めることができる使用性の良い電気掃除機を提供することを目的とする。【解決手段】掃除機本体１を、充電器１３に載置することに連動して、操作用伸縮ハンドル９の伸縮用尾錠３１の固定解除を行う。これにより、掃除機本体１を、充電器１３に載置するだけで、伸縮用尾錠３１を手で操作することなしに、簡単に操作用伸縮ハンドル１３を縮めることが出来る。【選択図】図６
2010022563.tif 000002
【特許請求の範囲】
【請求項１】
吸込口と電動送風機を備えた集塵部と、前記集塵部に一端が係止された操作用伸縮ハンドルとからなる掃除機本体と、前記掃除機本体を載置する載置部とからなり、前記操作用伸縮ハンドルは、伸張した状態を保持するための伸縮用尾錠を備え、前記掃除機本体を前記載置部に載置した時に、前記伸縮用尾錠が解除されることを特徴とする電気掃除機。
【請求項２】
掃除機本体に、二次電池と前記二次電池を充電するための端子接続部を備え、載置部に前記端子接続部に接続される充電用の端子部を備え、前記掃除機本体を前記載置部に載置した時に、前記端子接続部と前記端子部が電気的に接続されることを特徴とする請求項１に記載の電気掃除機。
【請求項３】
掃除機本体は、載置部に載置されたことを検知する係合検知体と、伸縮用尾錠の解除を行うロック機構解除部とを備え、前記掃除機本体が前記載置部に載置されたことを前記係合検知体が検知した時に、ロック機構解除部が前記伸縮用尾錠を解除することを特徴とする請求項１または２に記載の電気掃除機。
【請求項４】
掃除機本体は、底面に臨ませた係合部を備え、載置部は、前記係合部と係合する被係合部を備え、係合検知体は、前記係合部と前記被係合部が係合した時に、掃除機本体が載置部に載置されたと検知することを特徴とする請求項３に記載の電気掃除機。
【発明の詳細な説明】
【技術分野】
【０００１】
本発明は、一般家庭において使用する電気掃除機で、特に操作用の縦長のハンドルを備えた掃除機本体と、この掃除機本体を載置する載置部とからなる電気掃除機に関するものである。
【背景技術】
【０００２】
従来のこの種の電気掃除機として、充電式電気掃除機があり、以下、図９〜図１１を用いてその構成について説明する。
【０００３】
掃除機本体１０１内部には電源用の二次電池１０２と、これにより駆動される電動送風機１０３が搭載されている。掃除機本体１０１の後方には、電動送風機１０３の吸引側に集塵部１０４を形成している。掃除機本体１０１の前方には吸込部１０５を設け、この吸込部１０５下面には、被掃除面の塵埃を吸込部１０５内に導入する吸込口を設けている。吸込部１０５と集塵部１０４とは連通路を介して接続されている。
【０００４】
また、掃除機本体１０１の後方下面には充電用の端子接続部１０６が配されている。端子接続部１０６は下面凹部形状をしており、この凹部の内壁に端子１０７を取り付けている。掃除機本体１０１の後端部には、走行用のローラー１０８が掃除機本体１０１の下面及び後面から突出する形で設けられている。
【０００５】
また、使用者が掃除機を操作するための操作用ハンドル１０９は、把手部１１０を備え、掃除機本体１０１に回動自在に設けた軸支部１１１に着脱自在に取り付けるアルミパイプ等からなる支軸１１２と軸支部１１１から構成されている。この操作用ハンドル１０９は、伸縮しないタイプであるが、伸縮するタイプ（操作用伸縮ハンドル）も実用化されており、使用者の使い勝手や、身長に合わせて操作用ハンドル１０９の長さを調整できる構成の物となっている。
【０００６】
また、１１３は充電器であり、箱状部１１４と、箱状部１１４の前面下端から前方に延びる連結部１１５と、箱状部１１４の前部で連結部１１５上に設けられ、掃除機本体１０１の端子接続部１０６の凹部内に挿入される充電用の端子部１１６より構成されている。箱状部１１４内の端子部１１６近傍には、充電用の電源トランス１１７が収納されている。
【０００７】
そして、掃除機本体１０１の端子接続部１０６内に充電器１１３の端子部１１６を挿入し、端子同士を接続した状態で、掃除機本体１０１が充電器１１３へ水平に設置して電気接続され、掃除機本体１０１内の二次電池１０２に充電が行われる構成であった。
【０００８】
なお、１１６は電源コ−ドであり、通常は屋内のコンセントに差し込まれている。
【特許文献１】特開２００２−１４３０６１号公報
【発明の開示】
【発明が解決しようとする課題】
【０００９】
しかしながら、これらの電気掃除機は充電器にセットする（収納状態とする）際は、使用していた状態のままセットされる場合が多い。これは、次に使いたい時にすぐ使えるためである。
【００１０】
例えば、操作用伸縮ハンドルを備えたタイプの電気掃除機で、操作用伸縮ハンドルを一番長い状態で使用していた場合、掃除が終わってその状態のまま充電器にセットされる。この場合の収納空間は、床専有面積は小さいが、電気掃除機の上方向に長く伸びたハンドルの空間を確保する必要がある。
【００１１】
そして、長いハンドル状態のまま置かれた掃除機は、直立はしているものの不安定であり、見た目、安心感が少ない。
【００１２】
また、従来の操作用伸縮ハンドルは、２本の異なる径の管をスライドさせて伸縮可能にしているので、ハンドルを縮めた収納状態から使用する時には、ロック機構を操作して、両手を使ってその長さを調節しなければならない。
【００１３】
この操作は、掃除機本体を床面に置いたまま、使用者がかがみ姿勢又は、しゃがみ姿勢で行うか、立った状態で、操作用伸縮ハンドルを持って、掃除機本体を手元まで持ち上げ、ロック機構を操作して、両手を使って操作用伸縮ハンドルの長さを調整して、再び床面に下ろす必要があり、ともに煩わしいという課題を有していた。
【００１４】
本発明はこのような課題を解決するもので、掃除機本体を充電器にセットする収納状態にするだけで、伸縮ハンドルの長さを自動で縮めることができ、再び使用する際には、伸縮ハンドルを上方向に持ち上げるだけで、ロック機構が外れるので、伸縮ハンドルを伸ばすことのできる使用性の良い電気掃除機を提供することを目的とする。
【課題を解決するための手段】
【００１５】
前記従来の課題を解決するために本発明の電気掃除機は、吸込口と電動送風機を備えた集塵部と、前記集塵部に一端が係止された操作用伸縮ハンドルとからなる掃除機本体と、前記掃除機本体を載置する載置部とからなり、前記操作用伸縮ハンドルは、伸張した状態を保持するための伸縮用尾錠を備え、前記掃除機本体を前記載置部に載置した時に、前記伸縮用尾錠が解除されることを特徴とするもので、掃除機本体を、載置部に載置することに連動して、操作用伸縮ハンドルの伸縮用尾錠の固定解除を行うことで、操作用伸縮ハンドルを縮めるために伸縮用尾錠を操作する必要が無い、或いは操作用伸縮ハンドル自重で自動的に縮むように構成できるので、従来のように、使用者がハンドルを縮めるために、かがみ姿勢や、しゃがみ姿勢をとったり、立った姿勢で、操作用伸縮ハンドルを持って、掃除機本体を手元まで持ち上げ、操作用伸縮ハンドルのロック機構を両手で操作して、操作用伸縮ハンドルの長さを調整して、再び床面に下ろすという煩わしい操作をしなくても済むものとなる。
【００１６】
さらに、収納状態では直立している電気掃除機のハンドル上部の空間が少なくて済む。ハンドルが縮んだ短い状態は、掃除機が安定して直立するので倒れ難く、見た目もコンパクトであり、安心感が持てる状態となる。
【００１７】
そして、載置部に載置された収納状態から再び使用する際、載置した状態では、伸縮用尾錠の固定が解除されているので、操作用伸縮ハンドルを上方向に持ち上げるだけで、伸縮ハンドルを容易に伸ばすことができる。従って、収納時と同様、かがみ姿勢や、しゃがみ姿勢をとったり、操作用伸縮ハンドルを持って掃除機本体１を手元まで持ち上げたりして、操作用伸縮ハンドルの長さを調整するといった煩わしい操作がない使用性の良い電気掃除機を提供することができる。
【発明の効果】
【００１８】
本発明の電気掃除機は、掃除機本体を載置部に載置することにより、操作用伸縮ハンドルの伸縮用尾錠の固定解除を行うことで、操作用伸縮ハンドルを縮めるための操作を必要とせず、或いは自動で縮むようにすることができる。
【発明を実施するための最良の形態】
【００１９】
第１の発明は、吸込口と電動送風機を備えた集塵部と、前記集塵部に一端が係止された操作用伸縮ハンドルとからなる掃除機本体と、前記掃除機本体を載置する載置部とからなり、前記操作用伸縮ハンドルは、伸張した状態を保持するための伸縮用尾錠を備え、前記掃除機本体を前記載置部に載置した時に、前記伸縮用尾錠が解除されることを特徴とするもので、使用者がハンドルを縮めるために、かがみ姿勢や、しゃがみ姿勢をとったり、立った姿勢で、操作用伸縮ハンドルを持って、掃除機本体を手元まで持ち上げ、操作用伸縮ハンドルのロック機構を両手で操作して、操作用伸縮ハンドルの長さを調整して、再び床面に下ろすという煩わしい操作をしなくても済む、あるいは、載置部に載置された収納状態から再び使用する際には、操作用伸縮ハンドルの伸縮用尾錠の固定が解除されているので、操作用伸縮ハンドルを上方向に持ち上げるだけで、伸縮ハンドルを容易に伸ばすことができる。よって、収納時同様、かがみ姿勢や、しゃがみ姿勢をとったり、操作用伸縮ハンドルを持って掃除機本体を手元まで持ち上げたりして、操作用伸縮ハンドルの長さを調整するといった煩わしい操作をしなくても済む。また、収納状態では、直立している電気掃除機のハンドル上部の空間が少なくて済む。ハンドルが縮んだ短い状態は、掃除機が安定して直立するので倒れ難く、見た目もコンパクトであり、安心感が持てるといった使用性の良い電気掃除機を提供することができる。
【００２０】
第２の発明は、特に、第１の発明の掃除機本体が、二次電池と前記二次電池を充電するための端子接続部を備え、載置部に前記端子接続部に接続される充電用の端子部を備え、前記掃除機本体を前記載置部に載置した時に、前記端子接続部と前記端子部が電気的に接続されることを特徴とするもので、充電式掃除機において、第１の発明と同様の効果を得ることが出来る。
【００２１】
第３の発明は、特に、第１または第２の発明の掃除機本体が、載置部に載置されたことを検知する係合検知体と、伸縮用尾錠の解除を行うロック機構解除部とを備え、前記掃除機本体が前記載置部に載置されたことを前記係合検知体が検知した時に、ロック機構解除部が前記伸縮用尾錠を解除することを特徴とするもので、使用者が掃除機本体を載置部に載置する操作に連動して、操作用伸縮ハンドルの伸縮用尾錠の固定解除が行えるので、伸縮用尾錠を手動で解除する必要が無く、掃除機本体を載置部に載置するだけで操作用伸縮ハンドルを縮めることが出来る、或いは、操作用伸縮ハンドルを自重で縮むように伸縮する内側と外側のパイプの摺動抵抗を設定することで、自動的に縮む動作を実現できる使用性の良い電気掃除機を提供することができる。
【００２２】
第４の発明は、特に、第３の発明の掃除機本体に、底面に臨ませた係合部を備え、載置部は、前記係合部と係合する被係合部を備え、係合検知体は、前記係合部と前記被係合部が係合した時に、掃除機本体が載置部に載置されたと検知することを特徴とするもので、載置部に設けた被係合部が、掃除機本体に設けた係合部に係合した時の変位量を直接、操作用伸縮ハンドル部に伝えやすくすることができ、操作用伸縮ハンドルの伸縮用尾錠の固定解除機構を、より少ない部品点数で簡素かつ安価に構成することができる。また、掃除機本体を載置部に載置する時の目安ともなり、載置部へ掃除機本体を載置する際の狙いがつけやすく、作業を容易にすることができる。
【００２３】
以下、本発明の実施の形態について、図面を参照しながら説明する。なお、この実施の形態によって本発明が限定されるものではない。
【００２４】
（実施の形態１）
以下、本発明の実施の形態を、図１〜図８を参照しながら説明する。
【００２５】
図１は本発明実施の形態における電気掃除機の掃除機本体と載置部としての充電器の収納状態を示す側面図である。図２は掃除機本体と充電器の結合状態を示す上面図である。図３は、（ａ）が充電器の正面図、（ｂ）が充電器の上面断面図、（ｃ）が充電器の側面図である。
【００２６】
掃除機本体１の内部には二次電池２と、これにより駆動される電動送風機３を、掃除機本体１の後方に配設し、この電動送風機３の吸引側に集塵部４を形成している。そして、掃除機本体１の前方には塵埃を吸い込む吸込部５を設け、吸込部５と集塵部４とは吸気通路２０を介して接続されている。吸込部５と電動送風機３との間に、二次電池２を配設している。
【００２７】
また、掃除機本体１は、上部に操作用伸縮ハンドル９を傾動自在に設けている。操作用伸縮ハンドル９は、使用者が操作時に握る把手部１０、操作用伸縮ハンドル９の伸縮を固定、解除するロック機構２７を備えた伸縮機構部２６を、掃除機本体１に回動自在に設けた軸支部１１に取り付けている。その軸支部１１は、モータケース１９の外周を軸受け部にして回動自在としてある。
【００２８】
さらに、掃除機本体１の後方下面には、充電用の端子接続部６と係合部（穴部）２２とを設けている。端子接続部６は、掃除機本体１の中心部から外れた電動送風機３の後部の空間に配置している。端子接続部６は下面から電動送風機３の外周側空間内に入り込む凹部形状をしており、この凹部の内壁に端子７を取り付けている。そして、掃除機本体１の後端部には走行用の後部ローラー８を、掃除機本体１の下面及び後面から突出する形で設けている。
【００２９】
また、載置部としての充電器１３は、箱状部１４と充電用の端子部１６とで構成し、充電用の端子部１６は、箱状部１４の前部に設け、掃除機本体１の端子接続部６の凹部内に挿入される。箱状部１４内の端子部１６の近傍には、充電用の電源トランス１７を収納している。そして、箱状部１４の前面下端に前方に延びる板状部（載置部に相当）２１を形成し、その板状部２１に、掃除機本体１に設けた係合部（穴部）２２に挿入される被係合部（凸部）２３を設けている。掃除機本体１の端子接続部６内に、充電器１３の端子部１６を挿入して端子同士を接続した状態で、掃除機本体１の係合部（穴部）２２内に被係合部（凸部）２３がはまり合う。つまり、端子接続部６と端子部１６との接続及び、係合部（穴部）２２と被係合部（凸部）２３とのはまり合いにより、掃除機本体１が充電器１３の決められた位置で規制されることになる。また、箱状部１４の前面上部は傾斜面２４を形成し、この傾斜面２４上を掃除機本体１の後部ローラー８が転がるようにしている。
【００３０】
そして、箱状部１４の上面には、通電表示と伸縮用尾錠が固定解除されたこととを表示する報知手段である表示ランプ２５を設けている。
【００３１】
さらに、操作用伸縮ハンドル９の構成について詳しく説明する。
【００３２】
図５は、掃除機本体の側面断面図である。
【００３３】
操作用伸縮ハンドル９は、アルミ等で形成した外パイプ２８、内パイプ２９、そして、外パイプ２８と内パイプ２９とを任意の位置にて固定する外パイプ２８側に固定して取り付けられたロック機構２７とで構成している。内パイプ２９には、ロック機構２７と一対を成すロック機構２７の受け部３０を任意の場所、この例では２箇所に設けている。このロック機構２７は、外パイプ２８に設けた伸縮機構部２６の内部に軸３９を中心として回動自在に伸縮用尾錠３１を設け、この伸縮用尾錠３１は一端を伸縮機構部２６の外面に突出させ、他端を内パイプ２９の受け部３０と嵌合して、外パイプ２８を内パイプ２９に保持固定する。
【００３４】
また、内パイプ２９には、操作用伸縮ハンドル９を収納状態の位置で、ロック機構２７の伸縮用尾錠３１によって仮保持するための凹部３２を設けている。そして、外パイプ２８の内側には、凹形状の溝３８が長手方向に設けてあり、内パイプ２９の端面に設けたパイプの抜け止め防止の突起３７が移動可能に嵌め込まれており、内パイプ２９と外パイプ２８が抜けるのを防止している。
【００３５】
また、内パイプ２９の内側には、ロック機構２７を解除するロック機構解除部３３を設けている。図８（ａ）はロック機構解除部の正面図、（ｂ）は側面断面図、（ｃ）はロック機構解除体３４を押した時の側面図である。
【００３６】
ロック機構解除部３３は、内パイプ２９の受け部３０に嵌合しているロック機構２７を、内パイプ２９の内側から外側に押し出すことで、ロックを解除する略半球形状の３４を有している。ロック機構解除体３４は、その周辺をコの字型に型抜きされており、図８（ｃ）の矢印Ａの方向から押されると、内側に変位するように弾性を持つように設計されている。
【００３７】
図６のように掃除機本体１が充電器１３に載置された状態では、掃除機本体１の係合部（穴部）２２に、充電器の被係合部（凸部）２３が嵌る。そして、軸支部１１の内パイプ２９が接続される下面には、内パイプ２９の長手方向に移動可能な係合検知体３５を設けてあり、被係合部（凸部）２３が係合検知体３５を上方向に押し上げる。これに連動して、ロック機構解除部３３が上方向に移動する構成である。また、このロック機構解除部３３の係合検知体３５と接する面と反対側の面は、コイル状バネ３６と接している。コイル状バネ３６は、内パイプ２９の端面にも接しており、被係合部（凸部）２３と係合検知体３５が押し上げるロック機構解体３４を、下方向に押し戻すように設けている。
【００３８】
以上のように構成された電気掃除機について、以下その動作、作用を説明する。
【００３９】
操作用伸縮ハンドル９が、掃除機本体１に対して図５に示す位置にある時、掃除機本体１を充電器１３に載置することができる。図６が掃除機本体１を充電器１３に載置した結合（収納）状態である。この時、充電器１３の被係合部（凸部）２３は、掃除機本体１の係合部（穴部）２２へ嵌入する。係合部（穴部）２２は、軸支部１１の一部を貫通しているため被係合部（凸部）２３の嵌入により、結合（収納）状態では、操作用伸縮ハンドル９は回動しないようになっている。そして、係合部（穴部）２２は、掃除機本体１の底面に設け、相対する被係合部（凸部）２３は、充電器１３から上方に向かって突き出る形状としているので、掃除機本体１を充電器１３に載置する時の目安にもなり、位置さえ合わせれば、後は掃除機本体１の自重によって自動的に嵌合することができる。この嵌合によって、図５の位置にあった係合検知体３５は、被係合部（凸部）２３によって、図６の位置まで押し上げられる。この係合検知体３５の変位は、その上方部に位置するロック機構解除部３３にも伝わり、ロック機構解除部３３も上方に押し上げる。押し上げられたロック機構解除部３３のロック機構解除体３４は、受け部３０に納まっていたロック機構２７の伸縮用尾錠３１を、内パイプ２９の内側から外側に押し出す。この動作により、ロック機構２７の解除が行われ、外パイプ２８と内パイプ２９の固定解除が行われる。固定解除された外パイプ２８は、自重により床面方向（矢印Ｂ）に移動し、操作用伸縮ハンドル９の長さは縮む、床面方向（矢印Ｂ）に移動している外パイプ２８に設けている伸縮用尾錠３１は、内パイプ２９の外側に設けた凹部３２に係り、その位置で停止する（図７の状態になる）。
【００４０】
この時、充電器１３の外観面上に設けた表示ランプ２５は、掃除機本体１が充電器１３に正規の状態で載置されているので、端子接続部６と端子部１６が接触し通電することで点灯させている。つまり、充電中であることを報知するとともに、操作用伸縮ハンドル９の伸縮用尾錠３１が、固定解除された状態であることも使用者に報知している。
【００４１】
このようにして、使用者が、掃除機本体１を充電器１３に載置するだけで、自動的に、操作用伸縮ハンドル９が縮み、安定した収納状態を実現できるのである。
【００４２】
これにより、使用者が操作用伸縮ハンドル９を縮めるために、かがみ姿勢や、しゃがみ姿勢をとったり、あるいは立った姿勢で、一旦、操作用伸縮ハンドル９を持って、掃除機本体１を手元まで持ち上げ、操作用伸縮ハンドル９の伸縮機構部２６のロック機構２７をもう一方の手で操作して、操作用伸縮ハンドル９の長さを縮める調整をして、再び床面に下ろしてから充電器１３に載置するという煩わしい操作をしなくても済むのである。
【００４３】
次に、使用者が、収納状態から再度、電気掃除機を使用する時の動作は次のようになる。図７の収納状態から、使用者は、操作用伸縮ハンドル９の把手部１０を握り、上方向（矢印ｃ）に持ち上げると、内パイプ２９の外側に設けた凹部３２に係っているロック機構２７の伸縮用尾錠３１が、上方向に引き上げられる力に負けて外れ、把手部１０の接続された外パイプ２８は、内パイプ２９との固定が解除されて、上方向（矢印ｃ）への移動が可能となる。使用者によって持ち上げられた把手部１０の接続された外パイプ２８は、図６のように、内パイプ２９の端面に設けた抜け止め防止の突起３７が、外パイプ２８の内側に設けた凹形状の溝３８の端面に係り、外パイプ２８の上方向への移動を停止する。つまり、操作用伸縮ハンドル９はこれ以上伸びないので、次に掃除機本体１が床面より持ち上がることになる。使用者によって床面より持ち上げられた掃除機本体１は、充電器１３から離れるので、被係合部（凸部）２３からの押し上げ力がなくなる。これにより、圧縮されていたコイル状バネ３６が元の形状に戻る力によって、ロック機構解除部３３及び、係合検知体３５は、下方向に移動する（図６から図５の状態になる）。これに伴って、受け部３０に納まっていたロック機構解除体３４は、受け部３０より、内パイプ２９の内側へと引き戻される（図５の状態）。ロック機構解除体３４が、受け部３０からいなくなった事で、今まで受け部３０から外側に押し出されていたロック機構２７の伸縮用尾錠３１が、受け部３０に嵌合して、再び、外パイプ２８と内パイプ２９の固定、つまり操作用伸縮ハンドル９の固定が自動的に行われるのである。そして、使用者は、再び掃除する事が可能となるのである。
【００４４】
このように、掃除機本体１を充電器１３に載置された結合（収納）状態から、再び使用する際には、操作用伸縮ハンドル９を上方向に持ち上げるだけで、伸縮用尾錠３１の解除、操作用伸縮ハンドル９の延長、そして再度、操作用伸縮ハンドル９の固定といった一連の動作を、使用者の操作用伸縮ハンドル９の上方向への持ち上げ動作に連動して行うことができる。
【００４５】
よって、収納時と同様、かがみ姿勢や、しゃがみ姿勢をとったり、操作用伸縮ハンドル９を持って掃除機本体１を手元まで持ち上げたりして、操作用伸縮ハンドル９の長さを調整するといった煩わしい操作をしなくても済む使用性の良い電気掃除機を提供することができる。
【産業上の利用可能性】
【００４６】
以上のように本発明にかかる電気掃除機は、載置部に載置する動作に連動して、操作用伸縮ハンドルの伸縮用尾錠の固定解除を自動で行い、再使用時には、使用者が伸縮ハンドルを上方向に持ち上げる動作に連動して、伸縮ハンドルの固定尾錠が解除されハンドルの延長ができ、再び自動で尾錠固定することが可能となるので、伸縮ハンドルや伸縮パイプを備えた人が持って操作する装置や道具にとって有用な技術である。
【図面の簡単な説明】
【００４７】
【図１】本発明の実施の形態１における電気掃除機の本体と充電器の結合（収納）状態を示す側面図
【図２】同掃除機本体の上面断面図
【図３】（ａ）同電気掃除機の充電器の正面図（ｂ）同電気掃除機の充電器の上面断面図（ｃ）同電気掃除機の充電器の側面図
【図４】同電気掃除機の掃除機本体と充電器の結合（収納）状態を示す上面図
【図５】同電気掃除機の掃除機本体の側面断面図
【図６】同電気掃除機の掃除機本体と充電器の結合（収納）状態での側面断面図
【図７】同電気掃除機の掃除機本体と充電器の結合（収納）状態での側面断面図
【図８】（ａ）同電気掃除機のロック機構解除部の正面図（ｂ）同電気掃除機のロック機構解除部の側面断面図（ｃ）同電気掃除機のロック機構解除部のロック機構解除体を押した時の側面断面図
【図９】従来の電気掃除機の掃除機本体と充電器の結合（収納）状態を示す側面図
【図１０】（ａ）従来の電気掃除機の掃除機本体の側面図（ｂ）従来の電気掃除機の掃除機本体の上面図
【図１１】（ａ）従来の電気掃除機の充電器の正面図（ｂ）従来の電気掃除機の充電器の上面断面図（ｃ）従来の電気掃除機の充電器の側面図
【符号の説明】
【００４８】
１    掃除機本体
２    二次電池
３    電動送風機
６    端子接続部
９    操作用伸縮ハンドル
１３  充電器（載置部）
１６  端子部
２２  係合部（穴部）
２３  被係合部（凸部）
３１  伸縮用尾錠
３３  ロック機構解除部
３５  係合検知体
【図１】
2010022563.tif 000003
【図２】
2010022563.tif 000004
【図３】
2010022563.tif 000005
【図４】
2010022563.tif 000006
【図５】
2010022563.tif 000007
【図６】
2010022563.tif 000008
【図７】
2010022563.tif 000009
【図８】
2010022563.tif 000010
【図９】
2010022563.tif 000011
【図１０】
2010022563.tif 000012
【図１１】
2010022563.tif 000013